(57)【要約】【課題】  伝送情報が回線障害等により自局から通信回線を経由して対向局に伝送される途中に消失して到達しなかったのか、対向局から通信回線を経由して自局に伝送される途中に消失して到達しなかったのかを区別する点について配慮がされておらず、どちらで回線障害等が発生しているかを測定するためには自局から対向局へ、または対向局から自局へ片方向の回線品質測定を別々に行わなければならない問題があった。【解決手段】  複数の回線接続装置が通信回線を介して接続され、再送信した回数を表すリトライ回数を有する伝送情報を送受信する。【効果】  伝送情報が自局から対向局に正常に到達した回数と、消失した回数と、対向局から自局に正常に到達した回数と、消失した回数と、を同時に測定できる。【選択図】図１３
2005130226.tif 000002
【特許請求の範囲】
【請求項１】
通信回線を介して接続される対向局回線接続装置に伝送情報を送信する自局回線接続装置と、前記伝送情報を受信し、前記自局回線接続装置へ伝送情報を送信する対向局回線接続装置とを有する回線接続システムにおいて、
前記自局回線接続装置は、再送信した回数を表すリトライ回数をカウンタとして有し、
前記対向局回線接続装置は、再送信した回数を表すリトライ回数を伝送情報にセットして送信する機能を有し、
前記自局回線接続装置は、前記自局回線接続装置のリトライ回数のカウンタと、受信した前記伝送情報のリトライ回数に基づいて、前記通信回線の回線品質を測定する機能を有することを特徴とする回線接続システム。
【請求項２】
通信回線を介して接続される対向局回線接続装置に伝送情報を送信し、前記対向局回線接続装置から伝送情報を受信する回線接続装置において、
前記回線接続装置は、再送信した回数を表すリトライ回数をカウンタとして有し、
前記回線接続装置が受信した伝送情報に前記対向局回線接続装置によってセットされた、前記対向局回線接続装置が再送信した回数を表すリトライ回数と、前記リトライ回数のカウンタに基づいて、前記通信回線の回線品質を測定する機能を有することを特徴とする回線接続装置。
【請求項３】
通信回線を介して接続される対向局回線接続装置に伝送情報を送信し、前記対向局回線接続装置から伝送情報を受信する自局回線接続装置の通信方法において、
前記自局回線接続装置は、再送信した回数を表すリトライ回数を記憶し、
前記対向局回線接続装置が再送信した回数を表すリトライ回数が前記対向局回線接続装置によってセットされた伝送情報を受信し、
前記受信した伝送情報のリトライ回数と前記記憶したリトライ回数に基づいて、前記通信回線の回線品質を測定する機能を有することを特徴とする通信方法。
【請求項４】
複数の回線接続装置が通信回線を介して接続され、前記各回線接続装置間で伝送情報を送受信する回線接続システムにおいて、
前記伝送情報は、再送信した回数を表すリトライ回数を有する伝送情報であり、
前記回線接続装置が、前記伝送情報を送受信する機能を有することを特徴とする回線接続システム。
【請求項５】
請求項４に記載の回線接続システムにおいて、
前記回線接続装置が、前記伝送情報を送信した時のリトライ回数と前記伝送情報を受信した時のリトライ回数に基づいて、前記通信回線の回線品質を測定する機能を有することを特徴とする回線接続システム。
【請求項６】
通信回線を介して接続される対向局回線接続装置に伝送情報を送信し、前記対向局回線接続装置から伝送情報を受信する回線接続装置において、
前記それぞれの伝送情報は、再送信した回数を表すリトライ回数を有する伝送情報であり、前記回線接続装置は、前記伝送情報を送受信することを特徴とする回線接続装置。
【請求項７】
複数の回線接続装置が通信回線を介して接続され、前記各回線接続装置間で伝送情報を送受信する通信方法において、
前記伝送情報に、再送信した回数を表すリトライ回数を有する伝送情報を用い、
前記回線接続装置が他の回線接続装置へ前記伝送情報を送信し、前記他の回線接続装置から前記伝送情報を受信することを特徴とする通信方法。
【発明の詳細な説明】
【技術分野】
【０００１】
本発明は、複数の装置間で伝送情報を送受信する通信方法に関する。
【背景技術】
【０００２】
従来の装置は、例えば特開２００１−１６８９４７号公報のように、自局から通信回線を経由して対向局に伝送フレームを送信し、折り返し対向局から通信回線を経由して自局に伝送フレームを送信し、伝送フレームの到達の有無や、自局が送信した伝送フレームと対向局から折り返し受信した伝送フレームとを比較することによって通信回線の回線品質を測定していた。
【０００３】
【特許文献１】特開２００１−１６８９４７号公報
【発明の開示】
【発明が解決しようとする課題】
【０００４】
上記従来技術は、伝送フレームが回線障害等により自局から通信回線を経由して対向局に伝送される途中に消失して到達しなかったのか、対向局から通信回線を経由して自局に伝送される途中に消失して到達しなかったのかを区別する点について配慮がされておらず、どちらで回線障害等が発生しているかを測定するためには自局から対向局へ、または対向局から自局へ片方向の回線品質測定を別々に行わなければならない問題があった。
【課題を解決するための手段】
【０００５】
上記目的を達成するために、複数の回線接続装置が通信回線を介して接続され、再送信した回数を表すリトライ回数を有する伝送情報を送受信するものである。
【発明の効果】
【０００６】
本発明によれば、伝送情報が自局から対向局に正常に到達した回数と、回線障害等により到達しなかった回数と、対向局から自局に正常に到達した回数と、回線障害等により到達しなかった回数と、を同時に測定することができるという効果を奏する。
【発明を実施するための最良の形態】
【０００７】
以下、本発明の実施例を図により説明する。
【実施例１】
【０００８】
図１は、システム構成を示す図である。自局回線品質測定装置１（以下自局１）は、回線インタフェース１２により通信回線２と接続している。また、自局１が送信し折り返し受信した伝送フレームの順序を確認するための通番１４と、自局１から送信した伝送フレームが設定された時間内に折り返し受信できなかった場合に、同じ通番の伝送フレームを再送信した回数を確認するためのリトライ回数１５と、伝送フレームが自局１から対向局回線品質測定装置３（以下対向局３）に正常に到達した回数を示す正常送信回数１６と、対向局３から自局１に正常に到達した回数を示す正常受信回数１７と、自局１から対向局３に回線障害等により到達しなかった回数を示す異常送信回数１８と、対向局３から自局１に回線障害等により到達しなかった回数を示す異常受信回数１９と、をカウンタとして具備している。また、送信した伝送フレームを折り返し受信するまでの時間を設定するタイマ２０を具備している。タイマ２０は設定した時間を過ぎると回線品質測定手順１１にタイムアウトを指示する。また、回線品質測定手順１１に対して測定の開始，停止を指示しカウンタの内容を表示する表示・操作部１３を具備している。また、対向局３は回線インタフェース３２により通信回線２と接続している。また、伝送フレームの順序を確認するための通番３４と、同じ通番を再受信した回数を確認するためのリトライ回数３５と、をカウンタとして具備している。また、回線品質測定手順３１に対して測定の開始，停止を指示し、カウンタの内容を表示する表示・操作部３３を具備している。
【０００９】
次に、自局１と対向局３が通信回線２を経由して、回線品質を確認するために送受信する伝送フレームの構成を図２により説明する。伝送フレーム２０１は、伝送フレーム201の順序を設定する通番２０２と、伝送フレーム２０１を再送信した回数を設定するリトライ２０３と、任意のパターンを擬似データとして設定するデータ２０４と、通番２０２，リトライ２０３，データ２０４の正常性を確認するためのフレームチェックシーケンス
（ＦＣＳ）２０５と、を具備している。
【００１０】
次に、回線品質測定手順１１について図３により説明する。表示・操作部１３の指示により、手順が開始する（３０１）。通番１４と、リトライ回数１５と、正常送信回数１６と、正常受信回数１７と、異常送信回数１８と、異常受信回数１９と、を０に初期化する（３０２）。伝送フレーム２０１の通番２０２と、リトライ２０３と、データ２０４と、ＦＣＳ２０５と、を準備する（３０３）。通番２０２には通番１４を設定する。リトライ２０３にはリトライ回数１５を設定する。データ２０４には任意の擬似データを設定する。伝送フレーム２０１を回線インタフェース１２を経由して通信回線２に送信し、タイマ２０に送信した伝送フレームを折り返し受信するまでの時間を設定する（３０４）。対向局３から折り返し送信される伝送フレーム２０１を待つ（３０５）。受信した折り返し伝送フレームを確認する。ＦＣＳ２０５が正常で（３０６）、かつ通番２０２が通番１４と同じ（３０７）であれば送信した伝送フレーム２０１を折り返し受信したことになる。フレーム受信待ち（３０５）でタイマ２０がタイムアウトした場合、または受信した伝送フレーム２０１を確認したときに、ＦＣＳ２０５が異常（３０６）、または通番２０２が通番１４と異なる（３０７）場合、リトライ回数１５を更新し（３０８）、伝送フレーム
２０１を再送信する（３０３）。正常送信回数１６と、異常送信回数１８と、正常受信回数１７と、異常受信回数１９と、を更新する（３０９）。正常送信回数１６は、受信した伝送フレーム２０１のリトライ２０３と１を加算して更新する。自局１が受信した伝送フレーム２０１のリトライ２０３は、後ほど回線品質測定手順３１の説明で記述するように、対向局３が、伝送フレーム２０１を何回リトライ送信したかを表示している。従って、自局１が受信した伝送フレーム２０１のリトライ２０３は自局１から通信回線２を経由して対向局３に通番２０２が同じ伝送フレーム２０１が何回到達したかを表示している。リトライ２０３は０，１，２，３，…と増加する数であるため正常送信回数１６は１を加算して更新する。異常送信回数１８は、リトライ回数１５から受信した伝送フレーム２０１のリトライ２０３を減算して更新する。リトライ回数１５は自局１が、伝送フレーム201を何回リトライ送信したかを表示している。リトライ回数１５から自局１が受信した伝送フレーム２０１のリトライ２０３を減算すれば、自局１から対向局３に回線障害等により何回到達しなかったかを示す。正常受信回数１７は１を加算して更新する。異常受信回数１９は自局１が受信した伝送フレーム２０１のリトライ２０３を加算して更新する。通番１４に１を加算して更新し、リトライ回数１５を０に初期化する（３１０）。表示・操作部１３の指示により、手順を終了する場合はカウンタ表示を行い（３１３）終了する
（３１４）。手順を続ける場合は、一定時間の遅延（ＤＥＬＡＹ）を行い、フレーム送信間隔を調整する（３１２）。
【００１１】
次に、回線品質測定手順３１について図４により説明する。表示・操作部３３の指示又は、自局回線品質測定装置１の指令により、手順が開始する（４０１）。通番３４と、リトライ回数３５と、を０に初期化する（４０２）。自局１から送信される伝送フレーム
２０１を待つ（４０３）。表示・操作部３３の指示により、手順を終了する場合はカウンタ表示を行い（４１３）終了する（４１４）。受信した伝送フレーム２０１を確認する。ＦＣＳ２０５が正常で、（４０４）かつ通番２０２が通番３４と同じ（４０５）であれば正常な伝送フレーム２０１を受信したことになる。受信した伝送フレーム２０１を確認したときに、ＦＣＳ２０５が異常の（４０４）場合、自局１から再送信される伝送フレーム２０１を待つ（４０３）。伝送フレーム２０１の通番２０２と、リトライ２０３と、データ２０４と、ＦＣＳ２０５と、を準備する（４０６）。通番２０２には通番３４を設定する。リトライ２０３には０を設定する。データ２０４には受信した伝送フレーム２０１のデータ２０４をそのまま設定し折り返す。伝送フレーム２０１を回線インタフェース３２を経由して通信回線２に送信する（４０７）。通番３４に１を加算して更新し、リトライ回数３５を０に初期化する（４０８）。通番２０２が通番３４と異なる（４０５）場合、通番３４には受信した伝送フレーム２０１の通番２０２を設定し、リトライ回数３５に１を加算して更新する。（４０９）伝送フレーム２０１の通番２０２と、リトライ２０３と、データ２０４と、ＦＣＳ２０５と、を準備する。通番２０２には通番３４を設定する。受信した伝送フレーム２０１の通番２０２と同じとする。リトライ２０３にはリトライ回数３５を設定する。データ２０４には受信した伝送フレーム２０１のデータ２０４をそのまま設定し折り返す。伝送フレーム２０１を回線インタフェース３２を経由して通信回線２に送信する（４１１）。通番３４に１を加算して更新する（４１２）。
【００１２】
次に、伝送フレームの消失が無かった場合の、伝送フレームの送信，受信と、自局回線品質測定装置，対向局回線品質測定装置のカウンタの動作について、図５により説明する。自局回線品質測定装置５０１は通番５０２，リトライ回数５０３，正常送信回数５０４，正常受信回数５０５，異常送信回数５０６，異常受信回数５０７を０に初期化する。対向局回線品質測定装置５０８は通番５０９，リトライ回数５１０を０に初期化する。自局回線品質測定装置５０１は伝送フレーム５１１の通番を０、リトライを０として送信する。データ，ＦＣＳについては省略するが、それぞれ適切な値が設定される。伝送フレーム５１１を受信した対向局回線品質測定装置５０８は、伝送フレーム５１２の通番を０、リトライを０として送信し、通番５０９を１に更新する。伝送フレーム５１２を受信した自局回線品質測定装置５０１は通番５０２を１、正常送信回数５０４を１、正常受信回数
５０５を１に更新する。自局回線品質測定装置５０１，対向局回線品質測定装置５０８は伝送フレーム５１３，伝送フレーム５１４，伝送フレーム５１５，伝送フレーム５１６を送信，受信する。自局回線品質測定装置５０１の正常送信回数５０４は３、正常受信回数５０５は３、異常送信回数５０６は０、異常受信回数５０７は０となり、伝送フレームを３回正常送信し、３回正常受信したことが分かる。
【００１３】
次に、自局回線品質測定装置が伝送フレームを送信したときに消失した場合の、伝送フレームの送信，受信と、自局回線品質測定装置，対向局回線品質測定装置のカウンタの動作について、図６により説明する。自局回線品質測定装置６０１は通番６０２，リトライ回数６０３，正常送信回数６０４，正常受信回数６０５，異常送信回数６０６，異常受信回数６０７を０に初期化する。対向局回線品質測定装置６０８は通番６０９，リトライ回数６１０を０に初期化する。自局回線品質測定装置６０１は伝送フレーム６１１の通番を０、リトライを０として送信する。データ，ＦＣＳについては省略するが、それぞれ適切な値が設定される。伝送フレーム６１１を受信した対向局回線品質測定装置６０８は、伝送フレーム６１２の通番を０、リトライを０として送信し、通番６０９を１に更新する。伝送フレーム６１２を受信した自局回線品質測定装置６０１は通番６０２を１、正常送信回数６０４を１、正常受信回数６０５を１に更新する。伝送フレーム６１３の通番を１、リトライを０として送信する。伝送フレーム６１３は、通信回線に重畳する外来ノイズ等の影響により消失する。自局回線品質測定装置６０１は、伝送フレーム受信待ちタイムアウトにより、リトライ回数６０３を１に更新する。伝送フレーム６１４の通番を１、リトライを１として送信する。伝送フレーム６１４を受信した対向局回線品質測定装置６０８は、伝送フレーム６１５の通番を１、リトライを０として送信する。伝送フレーム６１５を受信した自局回線品質測定装置６０１は通番６０２を２、正常送信回数６０４を２、正常受信回数６０５を２、異常送信回数６０６を１に更新する。自局回線品質測定装置601，対向局回線品質測定装置６０８は伝送フレーム６１６，伝送フレーム６１７を送信，受信する。自局回線品質測定装置６０１の正常送信回数６０４は３、正常受信回数６０５は３、異常送信回数６０６は１、異常受信回数６０７は０となり、伝送フレームを３回正常送信し、３回正常受信し、１回異常送信したことが分かる。
【００１４】
次に、自局回線品質測定装置が伝送フレームを受信したときに消失した場合の、伝送フレームの送信，受信と、自局回線品質測定装置，対向局回線品質測定装置のカウンタの動作について、図７により説明する。自局回線品質測定装置７０１は通番７０２，リトライ回数７０３，正常送信回数７０４，正常受信回数７０５，異常送信回数７０６，異常受信回数７０７を０に初期化する。対向局回線品質測定装置７０８は通番７０９，リトライ回数７１０を０に初期化する。自局回線品質測定装置７０１は伝送フレーム７１１の通番を０、リトライを０として送信する。データ，ＦＣＳについては省略するが、それぞれ適切な値が設定される。伝送フレーム７１１を受信した対向局回線品質測定装置７０８は、伝送フレーム７１２の通番を０、リトライを０として送信し、通番７０９を１に更新する。伝送フレーム７１２を受信した自局回線品質測定装置７０１は通番７０２を１、正常送信回数７０４を１、正常受信回数７０５を１に更新する。伝送フレーム７１３の通番を１、リトライを０として送信する。伝送フレーム７１３を受信した対向局回線品質測定装置
７０８は、伝送フレーム７１４の通番を１、リトライを０として送信し、通番７０９を２に更新する。伝送フレーム７１４は、通信回線に重畳する外来ノイズ等の影響により消失する。自局回線品質測定装置７０１は、伝送フレーム受信待ちタイムアウトにより、リトライ回数７０３を１に更新する。伝送フレーム７１５の通番を１、リトライを１として送信する。伝送フレーム７１５を受信した対向局回線品質測定装置７０８は、通番７０９を１、リトライ回数７１０を１に更新する。伝送フレーム７１６の通番を１、リトライを１として送信する。通番７０９を２に更新する。伝送フレーム７１６を受信した自局回線品質測定装置７０１は通番７０２を２、正常送信回数７０４を３、正常受信回数７０５を２、異常受信回数７０７を１に更新する。自局回線品質測定装置７０１，対向局回線品質測定装置７０８は伝送フレーム７１７，伝送フレーム７１８を送信，受信する。自局回線品質測定装置７０１の正常送信回数７０４は４、正常受信回数７０５は３、異常送信回数
７０６は０、異常受信回数７０７は１となり、伝送フレームを４回正常送信し、３回正常受信し、１回異常受信したことが分かる。
【００１５】
次に、自局回線品質測定装置が伝送フレームを最初に送信したときに消失した場合の、伝送フレームの送信，受信と、自局回線品質測定装置，対向局回線品質測定装置のカウンタの動作について、図８により説明する。自局回線品質測定装置８０１は通番８０２，リトライ回数８０３，正常送信回数８０４，正常受信回数８０５，異常送信回数８０６，異常受信回数８０７を０に初期化する。対向局回線品質測定装置８０８は通番８０９，リトライ回数８１０を０に初期化する。自局回線品質測定装置８０１は伝送フレーム８１１の通番を０、リトライを０として送信する。データ，ＦＣＳについては省略するが、それぞれ適切な値が設定される。伝送フレーム８１１は、通信回線に重畳する外来ノイズ等の影響により消失する。自局回線品質測定装置８０１は、伝送フレーム受信待ちタイムアウトにより、リトライ回数８０３を１に更新する。伝送フレーム８１２の通番を０、リトライを１として送信する。伝送フレーム８１２を受信した対向局回線品質測定装置８０８は、伝送フレーム８１３の通番を０、リトライを０として送信し、通番８０９を１に更新する。伝送フレーム８１３を受信した自局回線品質測定装置８０１は通番８０２を１、正常送信回数８０４を１、正常受信回数８０５を１、異常送信回数８０６を１に更新する。自局回線品質測定装置８０１，対向局回線品質測定装置８０８は伝送フレーム８１４，伝送フレーム８１５を送信，受信する。自局回線品質測定装置８０１の正常送信回数８０４は２、正常受信回数８０５は２、異常送信回数８０６は１、異常受信回数８０７は０となり、伝送フレームを２回正常送信し、２回正常受信し、１回異常送信したことが分かる。
【００１６】
次に、自局回線品質測定装置が伝送フレームを送信したときに２回連続して消失した場合の、伝送フレームの送信，受信と、自局回線品質測定装置，対向局回線品質測定装置のカウンタの動作について、図９により説明する。自局回線品質測定装置９０１は通番902，リトライ回数９０３，正常送信回数９０４，正常受信回数９０５，異常送信回数９０６，異常受信回数９０７を０に初期化する。対向局回線品質測定装置９０８は通番９０９，リトライ回数９１０を０に初期化する。自局回線品質測定装置９０１は伝送フレーム911の通番を０、リトライを０として送信する。データ，ＦＣＳについては省略するが、それぞれ適切な値が設定される。伝送フレーム９１１を受信した対向局回線品質測定装置908は、伝送フレーム９１２の通番を０、リトライを０として送信し、通番９０９を１に更新する。伝送フレーム９１２を受信した自局回線品質測定装置９０１は通番９０２を１、正常送信回数９０４を１、正常受信回数９０５を１に更新する。自局回線品質測定装置901は伝送フレーム９１３の通番を１、リトライを０として送信する。伝送フレーム９１３を受信した対向局回線品質測定装置９０８は、伝送フレーム９１４の通番を１、リトライを０として送信し、通番９０９を２に更新する。伝送フレーム９１４を受信した自局回線品質測定装置９０１は通番９０２を２、正常送信回数９０４を２、正常受信回数９０５を２に更新する。伝送フレーム９１５の通番を２、リトライを０として送信する。伝送フレーム９１５は、通信回線に重畳する外来ノイズ等の影響により消失する。自局回線品質測定装置９０１は、伝送フレーム受信待ちタイムアウトにより、リトライ回数９０３を１に更新する。伝送フレーム９１６の通番を２、リトライを１として送信する。伝送フレーム
９１６は、通信回線に重畳する外来ノイズ等の影響により消失する。自局回線品質測定装置９０１は、伝送フレーム受信待ちタイムアウトにより、リトライ回数９０３を２に更新する。伝送フレーム９１７の通番を２、リトライを２として送信する。伝送フレーム917を受信した対向局回線品質測定装置９０８は、伝送フレーム９１８の通番を２、リトライを０として送信する。伝送フレーム９１８を受信した自局回線品質測定装置９０１は通番９０２を３、正常送信回数９０４を３、正常受信回数９０５を３、異常送信回数９０６を２に更新する。自局回線品質測定装置９０１の正常送信回数９０４は３、正常受信回数
９０５は３、異常送信回数９０６は２、異常受信回数９０７は０となり、伝送フレームを３回正常送信し、３回正常受信し、２回異常送信したことが分かる。
【００１７】
次に、自局回線品質測定装置が伝送フレームを受信したときに２回連続して消失した場合の、伝送フレームの送信，受信と、自局回線品質測定装置，対向局回線品質測定装置のカウンタの動作について、図１０により説明する。自局回線品質測定装置１００１は通番１００２，リトライ回数１００３，正常送信回数１００４，正常受信回数１００５，異常送信回数１００６，異常受信回数１００７を０に初期化する。対向局回線品質測定装置
１００８は通番１００９，リトライ回数１０１０を０に初期化する。自局回線品質測定装置１００１は伝送フレーム１０１１の通番を０、リトライを０として送信する。データ，ＦＣＳについては省略するが、それぞれ適切な値が設定される。伝送フレーム１０１１を受信した対向局回線品質測定装置１００８は、伝送フレーム１０１２の通番を０、リトライを０として送信し、通番１００９を１に更新する。伝送フレーム１０１２を受信した自局回線品質測定装置１００１は通番１００２を１、正常送信回数１００４を１、正常受信回数１００５を１に更新する。自局回線品質測定装置１００１は伝送フレーム１０１３の通番を１、リトライを０として送信する。伝送フレーム１０１３を受信した対向局回線品質測定装置１００８は、伝送フレーム１０１４の通番を１、リトライを０として送信し、通番１００９を２に更新する。伝送フレーム１０１４を受信した自局回線品質測定装置
１００１は通番１００２を２、正常送信回数１００４を２、正常受信回数１００５を２に更新する。伝送フレーム１０１５の通番を２、リトライを０として送信する。伝送フレーム１０１５を受信した対向局回線品質測定装置１００８は、伝送フレーム１０１６の通番を２、リトライを０として送信し、通番１００９を３に更新する。伝送フレーム１０１６は、通信回線に重畳する外来ノイズ等の影響により消失する。自局回線品質測定装置1001は、伝送フレーム受信待ちタイムアウトにより、リトライ回数１００３を１に更新する。伝送フレーム１０１７の通番を２、リトライを１として送信する。伝送フレーム１０１７を受信した対向局回線品質測定装置１００８は、通番１００９を２、リトライ回数1010を１に更新する。伝送フレーム１０１８の通番を２、リトライを１として送信し、通番1009を３に更新する。伝送フレーム１０１８は、通信回線に重畳する外来ノイズ等の影響により消失する。自局回線品質測定装置１００１は、伝送フレーム受信待ちタイムアウトにより、リトライ回数１００３を２に更新する。伝送フレーム１０１９の通番を２、リトライを２として送信する。伝送フレーム１０１９を受信した対向局回線品質測定装置１００８は、通番１００９を２、リトライ回数１０１０を２に更新する。伝送フレーム１０２０の通番を２、リトライを２として送信し、通番１００９を３に更新する。伝送フレーム1020を受信した自局回線品質測定装置１００１は通番１００２を３、リトライ回数１００３を０、正常送信回数１００４を５、正常受信回数１００５を３、異常受信回数１００７を２に更新する。伝送フレーム１０２１の通番を３、リトライを０として送信する。伝送フレーム１０２１を受信した対向局回線品質測定装置１００８は、伝送フレーム１０２２の通番を３、リトライを０として送信する。伝送フレーム１０２２を受信した自局回線品質測定装置１００１は通番１００２を４、正常送信回数１００４を６、正常受信回数１００５を４に更新する。自局回線品質測定装置１００１の正常送信回数１００４は６、正常受信回数１００５は４、異常送信回数１００６は０、異常受信回数１００７は２となり、伝送フレームを６回正常送信し、４回正常受信し、２回異常受信したことが分かる。
【００１８】
次に、自局回線品質測定装置が伝送フレームを送信したときに１回、受信したときに１回、連続して消失した場合の、伝送フレームの送信，受信と、自局回線品質測定装置，対向局回線品質測定装置のカウンタの動作について、図１１により説明する。自局回線品質測定装置１１０１は通番１１０２，リトライ回数１１０３，正常送信回数１１０４，正常受信回数１１０５，異常送信回数１１０６，異常受信回数１１０７を０に初期化する。対向局回線品質測定装置１１０８は通番１１０９，リトライ回数１１１０を０に初期化する。自局回線品質測定装置１１０１は伝送フレーム１１１１の通番を０、リトライを０として送信する。データ，ＦＣＳについては省略するが、それぞれ適切な値が設定される。伝送フレーム１１１１を受信した対向局回線品質測定装置１１０８は、伝送フレーム1112の通番を０、リトライを０として送信し、通番１１０９を１に更新する。伝送フレーム1112を受信した自局回線品質測定装置１１０１は通番１１０２を１、正常送信回数１１０４を１、正常受信回数１１０５を１に更新する。自局回線品質測定装置１１０１は伝送フレーム１１１３の通番を１、リトライを０として送信する。伝送フレーム１１１３を受信した対向局回線品質測定装置１１０８は、伝送フレーム１１１４の通番を１、リトライを０として送信し、通番１１０９を２に更新する。伝送フレーム１１１４を受信した自局回線品質測定装置１１０１は通番１１０２を２、正常送信回数１１０４を２、正常受信回数1105を２に更新する。伝送フレーム１１１５の通番を２、リトライを０として送信する。伝送フレーム１１１５は、通信回線に重畳する外来ノイズ等の影響により消失する。自局回線品質測定装置１１０１は、伝送フレーム受信待ちタイムアウトにより、リトライ回数1103を１に更新する。伝送フレーム１１１６の通番を２、リトライを１として送信する。伝送フレーム１１１６を受信した対向局回線品質測定装置１１０８は、伝送フレーム１１１７の通番を２、リトライを０として送信し、通番１１０９を３に更新する。伝送フレーム
１１１７は、通信回線に重畳する外来ノイズ等の影響により消失する。自局回線品質測定装置１１０１は、伝送フレーム受信待ちタイムアウトにより、リトライ回数１１０３を２に更新する。伝送フレーム１１１８の通番を２、リトライを２として送信する。伝送フレーム１１１８を受信した対向局回線品質測定装置１１０８は、通番１１０９を２、リトライ回数１１１０を１に更新する。伝送フレーム１１１９の通番を２、リトライを１として送信し、通番１１０９を３に更新する。伝送フレーム１１１９を受信した自局回線品質測定装置１１０１は通番１１０２を３、リトライ回数１１０３を０、正常送信回数１１０４を４、正常受信回数１１０５を３、異常送信回数１１０６を１、異常受信回数１１０７を１に更新する。伝送フレーム１１２０の通番を３、リトライを０として送信する。伝送フレーム１１２０を受信した対向局回線品質測定装置１１０８は、伝送フレーム１１２１の通番を３、リトライを０として送信する。伝送フレーム１１２１を受信した自局回線品質測定装置１１０１は通番１１０２を４、正常送信回数１１０４を５、正常受信回数1105を４に更新する。自局回線品質測定装置１１０１の正常送信回数１１０４は５、正常受信回数１１０５は４、異常送信回数１１０６は１、異常受信回数１１０７は１となり、伝送フレームを５回正常送信し、４回正常受信し、１回異常送信し、１回異常受信したことが分かる。
【００１９】
次に、自局回線品質測定装置が伝送フレームを受信したときに１回、送信したときに１回、連続して消失した場合の、伝送フレームの送信，受信と、自局回線品質測定装置，対向局回線品質測定装置のカウンタの動作について、図１２により説明する。自局回線品質測定装置１２０１は通番１２０２，リトライ回数１２０３，正常送信回数１２０４，正常受信回数１２０５，異常送信回数１２０６，異常受信回数１２０７を０に初期化する。対向局回線品質測定装置１２０８は通番１２０９、リトライ回数１２１０を０に初期化する。自局回線品質測定装置１２０１は伝送フレーム１２１１の通番を０、リトライを０として送信する。データ，ＦＣＳについては省略するが、それぞれ適切な値が設定される。伝送フレーム１２１１を受信した対向局回線品質測定装置１２０８は、伝送フレーム1212の通番を０、リトライを０として送信し、通番１２０９を１に更新する。伝送フレーム1212を受信した自局回線品質測定装置１２０１は通番１２０２を１、正常送信回数１２０４を１、正常受信回数１２０５を１に更新する。自局回線品質測定装置１２０１は伝送フレーム１２１３の通番を１、リトライを０として送信する。伝送フレーム１２１３を受信した対向局回線品質測定装置１２０８は、伝送フレーム１２１４の通番を１、リトライを０として送信し、通番１２０９を２に更新する。伝送フレーム１２１４は、通信回線に重畳する外来ノイズ等の影響により消失する。自局回線品質測定装置１２０１は、伝送フレーム受信待ちタイムアウトにより、リトライ回数１２０３を１に更新する。伝送フレーム1215の通番を１、リトライを１として送信する。伝送フレーム１２１５は、通信回線に重畳する外来ノイズ等の影響により消失する。自局回線品質測定装置１２０１は、伝送フレーム受信待ちタイムアウトにより、リトライ回数１２０３を２に更新する。伝送フレーム1216の通番を１、リトライを２として送信する。伝送フレーム１２１６を受信した対向局回線品質測定装置１２０８は、通番１２０９を１、リトライ回数１２１０を１に更新する。伝送フレーム１２１７の通番を１、リトライを１として送信し、通番１２０９を２に更新する。伝送フレーム１２１７を受信した自局回線品質測定装置１２０１は通番１２０２を２、リトライ回数１２０３を０、正常送信回数１２０４を３、正常受信回数１２０５を２、異常送信回数１２０６を１、異常受信回数１２０７を１に更新する。伝送フレーム1218の通番を２、リトライを０として送信する。伝送フレーム１２１８を受信した対向局回線品質測定装置１２０８は、伝送フレーム１２１９の通番を２、リトライを０として送信し、通番１２０９を３、リトライ回数１２１０を０に更新する。伝送フレーム１２１９を受信した自局回線品質測定装置１２０１は通番１２０２を３、正常送信回数１２０４を４、正常受信回数１２０５を３に更新する。自局回線品質測定装置１２０１の正常送信回数1204は４、正常受信回数１２０５は３、異常送信回数１２０６は１、異常受信回数１２０７は１となり、伝送フレームを４回正常送信し、３回正常受信し、１回異常送信し、１回異常受信したことが分かる。
【００２０】
以上の様に、複数の回線品質測定装置が通信回線を介して接続され、再送信した回数を表すリトライ回数を有する伝送情報を送受信することにより、対向局に伝送される途中に消失して到達しなかったのか、自局に伝送される途中に消失して到達しなかったのかを区別し、どちらで回線障害等が発生しているかを測定することができる。
【実施例２】
【００２１】
次に、本発明の別の実施例を図１３により説明する。本実施例は本発明を回線接続装置に組み込むことにより、自局から対向局に伝送フレームが正常に到達した回数と、回線障害等により到達しなかった回数と、伝送フレームが正常に到達したことを対向局から自局に伝送する応答フレームが正常に到達した回数と、回線障害等により到達しなかった回数と、をデータ伝送を行いながら測定することを可能にするものである。自局回線接続装置１３０１（以下自局１３０１）は、回線インタフェース１３１２により通信回線１３０２と、送信バッファ１３２１により端末装置１３０４と接続している。また、自局１３０１が送信し折り返し受信した応答フレームの順序を確認するための通番１３１４と、自局
１３０１から送信した伝送フレームの応答フレームが設定された時間内に折り返し受信できなかった場合に、同じ通番の伝送フレームを再送信した回数を確認するためのリトライ回数１３１５と、伝送フレームが自局１３０１から対向局回線接続装置１３０３（以下対向局１３０３）に正常に到達した回数を示す正常送信回数１３１６と、応答フレームが対向局１３０３から自局１３０１に正常に到達した回数を示す正常受信回数１３１７と、伝送フレームが自局１３０１から対向局１３０３に回線障害等により到達しなかった回数を示す異常送信回数１３１８と、応答フレームが対向局１３０３から自局１３０１に回線障害等により到達しなかった回数を示す異常受信回数１３１９と、をカウンタとして具備している。また、送信した伝送フレームの応答フレームを折り返し受信するまでの時間を設定するタイマ１３２０を具備している。タイマ１３２０は設定した時間を過ぎると通信手順１３１１にタイムアウトを指示する。また、通信手順１３１１に対して通信の開始，停止を指示しカウンタの内容を表示する表示・操作部１３１３を具備している。また、対向局１３０３は、回線インタフェース１３３２により通信回線１３０２と、受信バッファ
１３３６により端末装置１３０５と接続している。また、伝送フレームの順序を確認するための通番１３３４と、同じ通番を再受信した回数を確認するためのリトライ回数1335と、をカウンタとして具備している。また、通信手順１３３１に対して通信の開始，停止を指示し、カウンタの内容を表示する表示・操作部１３３３を具備している。
【００２２】
次に、自局１３０１が対向局１３０３へ、通信回線１３０２を経由して送信する伝送フレームの構成を図１４により説明する。伝送フレーム１４０１は、伝送フレーム１４０１の順序を設定する通番１４０２と、伝送フレーム１４０１を再送信した回数を設定するリトライ１４０３と、送信バッファ１３２１に格納された送信データを設定するデータ1404と、通番１４０２，リトライ１４０３，データ１４０４の正常性を確認するためのフレームチェックシーケンス（ＦＣＳ）１４０５と、を具備している。
【００２３】
次に、対向局１３０３が自局１３０１へ通信回線１３０２を経由して送信する応答フレームの構成を図１５により説明する。応答フレーム１５０１は、応答フレーム１５０１の順序を設定する通番１５０２と、応答フレーム１５０１を再送信した回数を設定するリトライ１５０３と、応答フレームであることを示す識別子である“ＡＣＫ”を設定する
ＡＣＫ１５０４と、通番１５０２，リトライ１５０３，ＡＣＫ１５０４の正常性を確認するためのフレームチェックシーケンス（ＦＣＳ）１５０５と、を具備している。
【００２４】
次に、通信手順１３１１について図１６により説明する。表示・操作部１３１３の指示により、手順が開始する（１６０１）。通番１３１４と、リトライ回数１３１５と、正常送信回数１３１６と、正常受信回数１３１７と、異常送信回数１３１８と、異常受信回数１３１９と、を０に初期化する（１６０２）。送信バッファ１３２１に端末装置１３０４によって格納されたデータが有るか確認する（１６０３）。伝送フレーム１４０１の通番１４０２と、リトライ１４０３と、データ１４０４と、ＦＣＳ１４０５と、を準備する
（１６０４）。通番１４０２には通番１３１４を設定する。リトライ１４０３にはリトライ回数１３１５を設定する。データ１４０４には送信バッファ１３２１に格納されたデータを設定する。伝送フレーム１４０１を回線インタフェース１３１２を経由して通信回線１３０２に送信し、送信した伝送フレームを折り返し受信するまでの時間を設定されたタイマ１３２０を動作開始する（１６０５）。対向局１３０３から折り返し送信される応答フレーム１５０１を待つ（１６０６）。受信した応答フレーム１５０１を確認する。
ＦＣＳ１５０５が正常で(１６０７)、かつ通番１５０２が通番１３１４と同じ(１６０８)であれば送信した伝送フレーム１４０１の応答フレーム１５０１を折り返し受信したことになる。応答フレーム受信待ち（１６０６）でタイマ１３２０がタイムアウトした場合、または受信した応答フレーム１５０１を確認したときに、ＦＣＳ１５０５が異常(1607)、または通番１５０２が通番１３１４と異なる（１６０８）場合、リトライ回数１３１５を更新し（１６０９）、伝送フレーム１４０１を再送信する（１６０４）。正常送信回数
１３１６と、異常送信回数１３１８と、正常受信回数１３１７と、異常受信回数１３１９と、を更新する（１６１０）。正常送信回数１３１６は、応答フレーム１５０１のリトライ１５０３と１を加算して更新する。自局１３０１が受信した応答フレーム１５０１のリトライ１５０３は、後ほど通信手順１３３１の説明で記述するように、対向局１３０３が、応答フレーム１５０１を何回リトライ送信したかを表示している。従って、自局1301が受信した応答フレーム１５０１のリトライ１５０３は自局１３０１から通信回線１３０２を経由して対向局１３０３に通番１４０２が同じ伝送フレーム１４０１が何回到達したかを表示している。リトライ１５０３は０，１，２，３，…と増加する数であるため正常送信回数１３１６は１を加算して更新する。異常送信回数１３１８は、リトライ回数1315から応答フレーム１５０１のリトライ１５０３を減算して更新する。リトライ回数１３１５は自局１３０１が、伝送フレーム１４０１を何回リトライ送信したかを表示している。リトライ回数１３１５から自局１３０１が受信した応答フレーム１５０１のリトライ1503を減算すれば、自局１３０１から対向局１３０３に回線障害等により何回到達しなかったかを示す。正常受信回数１３１７は１を加算して更新する。異常受信回数１３１９は自局
１３０１が受信した応答フレーム１５０１のリトライ１５０３を加算して更新する。送信バッファ１３２１のデータを削除し、通番１３１４に１を加算して更新し、リトライ回数１３１５を０に初期化する（１６１１）。
【００２５】
次に、回線品質測定手順１３３１について図１７により説明する。表示・操作部1333の指示又は、自局回線接続装置１３０１からの指令により、手順が開始する（１７０１）。通番１３３４と、リトライ回数１３３５と、を０に初期化する（１７０２）。自局1301から送信される伝送フレーム１４０１を待つ（１７０３）。受信した伝送フレーム１４０１を確認する。ＦＣＳ１４０５が正常で（１７０４）、かつ通番１４０２が通番１３３４と同じ（１７０５）であれば正常な伝送フレーム１４０１を受信したことになる。受信した伝送フレーム１４０１を確認したときに、ＦＣＳ１４０５が異常（１７０４）の場合、自局１３０１から再送信される伝送フレーム１４０１を待つ（１７０３）。受信バッファ
１３３６にデータ１４０４を格納する（１７０６）。受信バッファ１３３６に格納されたデータは端末装置１３０５により処理される。応答フレーム１５０１の通番１５０２と、リトライ１５０３と、ＡＣＫ１５０４と、ＦＣＳ１５０５と、を準備する（１７０７）。通番１５０２には通番１３３４を設定する。リトライ１５０３には０を設定する。ＡＣＫ１５０４には“ＡＣＫ”を設定する。応答フレーム１５０１を回線インタフェース1332を経由して通信回線１３０２に送信する（１７０８）。通番１３３４に１を加算して更新し、リトライ回数１３３５を０に初期化する（１７０９）。通番１４０２が通番１３３４と異なる（１７０５）場合、通番１３３４には受信した伝送フレーム１４０１の通番1402を設定し、リトライ回数１３３５に１を加算して更新する（１７１０）。応答フレーム1501の通番１５０２と、リトライ１５０３と、ＡＣＫ１５０４と、ＦＣＳ１５０５と、を準備する（１７１１）。通番１５０２には通番１３３４を設定する。受信した伝送フレーム
１４０１の通番１４０２と同じとする。リトライ１５０３にはリトライ回数１３３５を設定する。ＡＣＫ１５０４には“ＡＣＫ”を設定する。応答フレーム１５０１を回線インタフェース１３３２を経由して通信回線１３０２に送信する（１７１２）。通番１３３４に１を加算して更新する（１７１３）。
【００２６】
以上の様に、複数の回線接続装置が通信回線を介して接続され、再送信した回数を表すリトライ回数を有する伝送情報を送受信することにより、対向局に伝送される途中に消失して到達しなかったのか、自局に伝送される途中に消失して到達しなかったのかを区別し、どちらで回線障害等が発生しているかを測定することができる。
【００２７】
通信回線がメタルケーブルの場合、伝送フレームが自局から対向局に正常に到達した回数と、回線障害等により到達しなかった回数と、対向局から自局に正常に到達した回数と、回線障害等により到達しなかった回数と、を同時に測定することができるため、自局から対向局に到達しなかった回数が、対向局から自局に到達しなかった回数より多い場合、通信回線の対向局に近い位置で伝送ノイズが多いことが分かるという効果がある。また対向局から自局に到達しなかった回数が、自局から対向局に到達しなかった回数より多い場合、通信回線の自局に近い位置で伝送ノイズが多いことが分かるという効果がある。
【００２８】
尚、上記２つの実施例では通番を設けたが、一つの伝送情報について送受信し、連続して送受信しない場合は通番による整合性は必要ない。
【図面の簡単な説明】
【００２９】
【図１】本発明の一実施例のシステム構成を示す図。
【図２】本発明の一実施例の伝送フレームの構成を示す図。
【図３】図１の自局回線品質測定装置１の回線品質測定手順１１を示す図。
【図４】図１の対向局回線品質測定装置３の回線品質測定手順３１を示す図。
【図５】伝送フレームの消失が無かった場合の、伝送フレームの送信，受信と、自局回線品質測定装置，対向局回線品質測定装置のカウンタの動作について説明する図。
【図６】自局回線品質測定装置が伝送フレームを送信したときに消失した場合の、伝送フレームの送信，受信と、自局回線品質測定装置，対向局回線品質測定装置のカウンタの動作について説明する図。
【図７】自局回線品質測定装置が伝送フレームを受信したときに消失した場合の、伝送フレームの送信，受信と、自局回線品質測定装置，対向局回線品質測定装置のカウンタの動作について説明する図。
【図８】自局回線品質測定装置が伝送フレームを最初に送信したときに消失した場合の、伝送フレームの送信，受信と、自局回線品質測定装置，対向局回線品質測定装置のカウンタの動作について説明する図。
【図９】自局回線品質測定装置が伝送フレームを送信したときに２回連続して消失した場合の、伝送フレームの送信，受信と、自局回線品質測定装置，対向局回線品質測定装置のカウンタの動作について説明する図。
【図１０】自局回線品質測定装置が伝送フレームを受信したときに２回連続して消失した場合の、伝送フレームの送信，受信と、自局回線品質測定装置，対向局回線品質測定装置のカウンタの動作について説明する図。
【図１１】自局回線品質測定装置が伝送フレームを送信したときに１回、受信したときに１回、連続して消失した場合の、伝送フレームの送信，受信と、自局回線品質測定装置，対向局回線品質測定装置のカウンタの動作について説明する図。
【図１２】自局回線品質測定装置が伝送フレームを受信したときに１回、送信したときに１回、連続して消失した場合の、伝送フレームの送信，受信と、自局回線品質測定装置，対向局回線品質測定装置のカウンタの動作について説明する図。
【図１３】本発明の一実施例のシステム構成を示す図。
【図１４】本発明の一実施例の伝送フレームの構成を示す図。
【図１５】本発明の一実施例の応答フレームの構成を示す図。
【図１６】図１３の自局回線接続装置１３０１の通信手順１３１１を示す図。
【図１７】図１３の対向局回線接続装置１３０３の通信手順１３３１を示す図。
【符号の説明】
【００３０】
１…自局回線品質測定装置、２…通信回線、３…対向局回線品質測定装置。
【図１】
2005130226.tif 000003
【図２】
2005130226.tif 000004
【図３】
2005130226.tif 000005
【図４】
2005130226.tif 000006
【図５】
2005130226.tif 000007
【図６】
2005130226.tif 000008
【図７】
2005130226.tif 000009
【図８】
2005130226.tif 000010
【図９】
2005130226.tif 000011
【図１０】
2005130226.tif 000012
【図１１】
2005130226.tif 000013
【図１２】
2005130226.tif 000014
【図１３】
2005130226.tif 000015
【図１４】
2005130226.tif 000016
【図１５】
2005130226.tif 000017
【図１６】
2005130226.tif 000018
【図１７】
2005130226.tif 000019